(57)【要約】【課題】前面枠を開放状態で支持する支持部材の組付けを簡素化し、部品点数を減らして低コスト化を図りかつ前面枠の傾倒作業が安定して行なえる遊技機を提供する。【解決手段】支持部材１２の一端側は遊技機本体側１１の軸部１４に回転可能に連結され他端側は前面枠５の連結部１６と連結孔１２ｄを通じてスライド可能に連結されることにより上下ヒンジ部４ａ，４ｂを通過する回転軸Ｍに対して支持部材１２が交差して組み付けられ、上ヒンジ部４ａにおける前面枠５の軸支が解除されると、連結部１６が連結孔１２ｄに沿ってスライドして当該連結孔１２ｄの端部に当接するまで前面枠５が遊技機本体１１に対して下ヒンジ部４ｂを中心に前方へ所定量傾倒し、そのまま前面枠５の傾倒状態を保持する。【選択図】図７
2010148603.tif 000002
【特許請求の範囲】
【請求項１】
遊技機本体に対して前面枠が上下ヒンジ部を中心に開閉可能に支持された遊技機であって、
前記遊技機本体と当該遊技機本体に対して所定位置へ開放された前記前面枠とに各々連繋して組み付けられる支持部材を備え、
前記支持部材の一端側は前記遊技機本体側の軸部に回転可能に連結され他端側は前記前面枠の連結部と連結孔を通じてスライド可能に連結されることにより上下ヒンジ部を通過する回転軸に対して前記支持部材が交差して組み付けられ、前記上ヒンジ部における前面枠の軸支が解除されると、前記連結部が連結孔に沿ってスライドして当該連結孔の端部に当接するまで前記前面枠が遊技機本体に対して下ヒンジ部を中心に前方へ所定量傾倒し、そのまま前記前面枠の傾倒状態を保持することを特徴とする遊技機。
【請求項２】
前記支持部材は、前記遊技機本体側の軸部と前面枠の連結部に各々連繋した状態で当該軸部と連結部との平行関係を維持しつつ、前記前面枠の遊技機本体前方への傾倒を許容する請求項１記載の遊技機。
【請求項３】
前記支持部材には、前記遊技機本体側に設けられた第１軸部と回転可能に連繋する第１軸孔と、前記前面枠に設けられた第２軸部とスライド可能に連繋する第２軸孔が設けられている請求項１又は２記載の遊技機。
【請求項４】
前記支持部材は、前記前面枠若しくは遊技機本体側のいずれかに設けられた収納部に着脱可能に取り付けられている請求項１乃至３のいずれか１項記載の遊技機。
【請求項５】
前記支持部材は、一端側が前記遊技機本体側の軸部に回転可能に軸支され、他端側は垂下して前記遊技機本体側に設けられた収納部に収納されている請求項１乃至３のいずれか１項記載の遊技機。
【発明の詳細な説明】
【技術分野】
【０００１】
本発明は、遊技機に関する。
【背景技術】
【０００２】
パチンコ機などの遊技機には、遊技機本体に窓部を備えた前面枠が開閉可能に組み付けられている。具体的には、パチンコ機の外形をなす矩形状の外枠に対して内枠が開閉可能に組み付けられ、該内枠を含む遊技機本体に対して前面枠が上下ヒンジ部を中心に開閉可能に支持されている。
【０００３】
遊技機本体（内枠）に支持された遊技盤のメンテナンス、特にヒンジ側の盤面部品のメンテナンスやヒンジ側の釘調整等を行なう際に前面枠を開放して作業を行なうが、隣接する遊技機との関係上、前面枠の開放角度が限られており、前面枠が邪魔になり作業が行ない難い。現状では、前面枠を取り外して作業を行なっているため、作業に手間取り重労働となっている。このため、前面枠を遊技機本体から開放すると共に上ヒンジ部を取外して、リンク結合による伸縮型ヒンジ装置を用いて前面枠を前面側へ傾倒させる遊技機が提案されている。
【０００４】
具体的には、伸縮型ヒンジ装置は、遊技機本体に連繋するリンク材と、前面枠に結合部材を介して連繋するリンク材どうしが連結軸を介して連結されている。リンク材どうしは連結軸に圧縮コイルばねが巻かれたまま折り畳まれて連繋し、遊技機本体側に設けられたロック機構により、折り畳まれた状態を維持するようになっている。前面枠が遊技機本体から開放され、前面枠の遊技機本体側の上ヒンジ部との連繋が外されロック機構が解除されると、前面枠は自重により手前側へ倒れようとする。このとき、結合部材を介してリンク材どうしを圧縮コイルばねの開き角度を超えて直列状に展開させて前面枠が下ヒンジ部を中心に手前側へ傾倒し、傾倒した前面枠と遊技機本体との間に形成される作業スペースを利用してメンテナンス作業が行なえるようになっている（特許文献１参照）。
【０００５】
また、遊技機本体（外枠）の上枠に、金属製の開放保持部材が支点を中心に回転可能に設けられている。遊技機本体から前面枠が開放された状態で、開放保持部材を支点として回転させて自由端側を前面枠の係合保持金具に係合させて、前面枠を遊技機本体に対して９０度乃至１００度に開放したまま保持する開放保持機構が開示されている（特許文献２参照）。
【特許文献１】特開２００８−４９００１号公報
【特許文献２】特開２００２−２９２０６６号公報
【発明の開示】
【発明が解決しようとする課題】
【０００６】
上述した特許文献１の遊技機においては、伸縮型ヒンジ装置は、複数のリンク材を折り畳まれた状態で保持するロック機構やリンク材どうしを連結する連結軸に巻かれた圧縮コイルばねや、リンク材と前面枠との連結を位置するロック部材など多数の部品を要するため、組付け工数が嵩むうえに製造コストが上昇する。また、複数リンクどうしの連結軸に加わる負荷を軽減するため圧縮コイルばねが必要になり、かかるばねの付勢力に抗してリンク材を折り畳まなければならず、傾倒した前面枠を元に戻す際の作業負荷も増大する。
【０００７】
また、特許文献２の遊技機においては、開放保持機構は、前面枠及び外枠の破損防止の観点から、上下ヒンジ部の近傍に設けないことが望ましい旨が記載されている（特許文献２段落[００１３]）。これにより、開放保持部材の支点から係合保持金具までの距離が長くなり、開放保持部材が大型化して遊技機本体内若しくは前面枠内における設置面積を要するためコンパクトに収納することができない。遊技機本体の遊技領域が拡大傾向にあるため、開放保持部材の設置領域は可能な限りコンパクトであることが望ましい。
また、前面枠を遊技機本体に対して開閉可能に連繋する上ヒンジ部を外して前面枠を傾倒させることはないため、上下ヒンジ部近傍のメンテナンス作業は行い難い。また、前面枠を遊技機本体に対して９０度を超えて開閉するとすれば、開放した前面枠の挙動が不安定となりやすい。
【０００８】
本発明の目的は、上記従来技術の課題を解決し、前面枠を開放状態で支持する支持部材の組付けを簡素化し、部品点数を減らして低コスト化を図りかつ前面枠の傾倒作業が安定して行なえる遊技機を提供することにある。
【課題を解決するための手段】
【０００９】
本発明は上記目的を達成するため、次の構成を備えることを特徴とする。
遊技機本体に対して前面枠が上下ヒンジ部を中心に開閉可能に支持された遊技機であって、前記遊技機本体と当該遊技機本体に対して所定位置へ開放された前記前面枠とに各々連繋して組み付けられる支持部材を備え、前記支持部材の一端側は前記遊技機本体側の軸部に回転可能に連結され他端側は前記前面枠の連結部と連結孔を通じてスライド可能に連結されることにより上下ヒンジ部を通過する回転軸に対して前記支持部材が交差して組み付けられ、前記上ヒンジ部における前面枠の軸支が解除されると、前記連結部が連結孔に沿ってスライドして当該連結孔の端部に当接するまで前記前面枠が遊技機本体に対して下ヒンジ部を中心に前方へ所定量傾倒し、そのまま前記前面枠の傾倒状態を保持することを特徴とする。
ここで、遊技機本体とは、遊技機前面を覆う窓部が形成された前面枠を除く部位、例えば外枠、内枠、遊技盤などを含む部位をいうものとする。
【００１０】
また、前記支持部材は、前記遊技機本体側の軸部と前面枠の連結部に各々連繋した状態で当該軸部と連結部との平行関係を維持しつつ、前記前面枠の遊技機本体前方への傾倒を許容することを特徴とする。
【００１１】
また、前記支持部材には、前記遊技機本体側に設けられた第１軸部と回転可能に連繋する第１軸孔と、前記前面枠に設けられた第２軸部とスライド可能に連繋する第２軸孔が設けられていることを特徴とする。
【００１２】
また、前記支持部材は、前記前面枠若しくは遊技機本体側のいずれかに設けられた収納部に着脱可能に取り付けられていることを特徴とする。
【００１３】
また、前記支持部材は、一端側が前記遊技機本体側の軸部に回転可能に軸支され、他端側は垂下して前記遊技機本体側に設けられた収納部に収納されていることを特徴とする。
【発明の効果】
【００１４】
上述した遊技機を用いれば、遊技機本体に対して所定位置まで開放された前面枠を支持部材により支持するのみならず、当該支持部材が前面枠及び遊技機本体に各々連繋したまま連結部が連結孔に沿ってスライドして連結孔の端部に当接するまで前面枠が遊技機本体に対して下ヒンジ部を中心に前方へ所定量傾倒し、そのまま前面枠の傾倒状態を保持する。
これにより、遊技機本体より所定位置に開放された前面枠を簡易かつコンパクトな構成でそのまま傾倒させて支持することができる。また、支持部材の組付けを簡素化し、部品点数を減らして低コストを図ることもできる。
【００１５】
また、支持部材は、遊技機本体側の軸部と前面枠の連結部に各々連繋した状態で当該軸部と連結部との平行関係を維持しつつ、前面枠の遊技機本体前方への傾倒を許容するので、前面枠をスムーズに前方へ傾倒させることができる。
【００１６】
また、支持部材には、遊技機本体側に設けられた第１軸部と回転可能に連繋する第１軸孔と、前面枠に設けられた第２軸部とスライド可能に連繋する第２軸孔が設けられており、当該第２軸部が第２軸孔に連繋した位置から孔端部へスライドして係止するまで第１軸部を中心に回転しつつ前面枠が前方へ傾倒するのを許容する。これにより、前面枠の下ヒンジ部を中心とする回転動作に伴って支持部材が第１軸部を中心に従動回転しつつ、第２軸部が第１軸部と平行関係を保ったまま長孔に沿ってスライドすることによりガイドされるので、前面枠の傾倒作業が開閉方向に振れることなく安定して行なえる。
【００１７】
また、支持部材は、前面枠若しくは遊技機本体側のいずれかに設けられた収納部に着脱可能に取り付けられていると、前面枠若しくは遊技機本体側に専用の支持機構を設ける必要はなくなり、省スペース化が図れる。
【００１８】
また、支持部材は、一端側が遊技機本体側の軸部に回転可能に軸支され、他端側は垂下して遊技機本体側に設けられた収納部に収納されていると、遊技機本体より前面枠を開放して支持部材の他端を前面枠と連繋させるだけで、前面枠を上ヒンジ部から開放することで傾倒させることができ、支持部材の取り付け作業を簡略化することができ、作業性も向上する。
【発明を実施するための最良の形態】
【００１９】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２０】
先ずパチンコ機１の概略構成について説明すると、パチンコ機１の外形をなす矩形状の外枠２の側部に対して上下ヒンジ部（図示せず）により内枠３が開閉可能に取り付けられ、該内枠３の側部に対して上下ヒンジ部４ａ，４ｂにより前面枠（ガラス枠）５が開閉可能に取り付けられている。
【００２１】
図２において、内枠３の前面側には遊技盤６が組み付けられている。また遊技盤６の下方には遊技領域へ向かって遊技球を発射する球発射装置７が組み付けられている。また、遊技盤６には、図柄表示装置（液晶表示装置；図示せず）、入賞装置（図示せず）等が設けられている。
【００２２】
また、図１において、前面枠５の下方には貸球や賞球等の遊技球を一時的に貯留し、該遊技球を球発射装置７（図２参照）へ誘導する球受け皿８が組み付けられている。球受け皿８の前面には貯留した遊技球を図示しないドル箱に排出させるためシャッターを開閉する球抜きレバー８ａが設けられている。球受け皿８の右側には、球発射装置７によって遊技領域へ発射される遊技球の発射力を調節するための発射ハンドル９が設けられている。内枠３の背面側上部には貯留タンク１０が設けられ、貯留タンク１０にはパチンコ機１が配置されたホールの島から遊技球が供給される。
【００２３】
ここで、遊技機本体（パチンコ機本体）１１と前面枠５との組み付け構造について説明する。ここで、パチンコ機本体１１とは、遊技機前面を覆う窓部が形成された前面枠５を除く部位、例えば外枠２、内枠３、遊技盤６などを含む部位をいう。
【００２４】
図３において内枠３（パチンコ機本体１１）の上ヒンジ部４ａには軸孔４ｃが形成されている。また、上ヒンジ部４ａと対向する前面枠５の上部に設けられた上板５ｄには軸孔５ｃが形成され、該軸孔５ｃより上嵌合ピン５ａが突設されている。
また、上嵌合ピン５ａは、下部に弾装されたコイルばね５ｂにより常時上方に向けて付勢され、上ヒンジ部４ａの軸孔４ｃに嵌め込まれている。上嵌合ピン５ａは、ピン外装部が上板５ｄの下面に突き当たることで突出量が規制されている。上嵌合ピン５ａにはレバー５ｅが前面枠５の背面側に向けて突設されている（図４参照）。上嵌合ピン５ａはレバー５ｅをコイルばね５ｂの付勢に抗して押し下げることにより、上ヒンジ部４ａの軸孔４ｃより外すことができる。
【００２５】
内枠３（パチンコ機本体１１）の下ヒンジ部４ｂは、前面枠５の下部に設けられた図示しない下嵌合ピンが下ヒンジ部４ｂ（図２参照）の図示しない軸孔に嵌め込まれて支持されている。図２において、前面枠５は、上ヒンジ部４ａの軸孔４ｃに上嵌合ピン５ａを嵌合させ、下嵌合ピンを軸孔に嵌め込んだ状態で、上下ヒンジ部４ａ，４ｂを通過する回転軸Ｍを中心にパチンコ機本体１１に対して開閉可能に軸支されている。
【００２６】
次に、パチンコ機本体１１から開放された前面枠５の開放状態を支持する構造について図２乃至図５を参照して説明する。
図４において、パチンコ機本体１１、本実施例では遊技盤６の遊技盤レール６ａより外側であって、上ヒンジ部４ａに近い盤面領域に本体ベース部１３が設けられている。この本体ベース部１３に第１軸部１４が盤面と平行に突設されている。尚、第１軸部１４は、遊技領域の側端部上方（上ヒンジ部４ａ側）に設けられていてもよい。また、第１軸部１４は、パチンコ機本体１１の他の部位、例えば内枠３、外枠２、上ヒンジ部４ａなどに設けられていてもよい。
【００２７】
また、前面枠５の背面側であって本体ベース部１３と対向面には、前枠ベース部１５が設けられている。この前枠ベース部１５に第２軸部１６が突設されている。
第１軸部１４と第２軸部１６とは、前面枠５がパチンコ機本体１１より開放された所定位置（略９０度開放された位置）で互いに平行であって、上下ヒンジ部４ａ，４ｂを通過する回転軸Ｍに対して交差する向き（直交方向）となるように設けられている。第１軸部１４、第２軸部１６は、軸端に形成された頭部１４ａ，１６ａが軸部に形成された周溝１４ｂ，１６ｂより径大となるように各々形成されている。また、周溝１４ｂ，１６ｂは、後述するように板状の支持部材１２が嵌まり込む程度の幅に形成されている。
【００２８】
図３において、支持部材１２としては、例えば金属製若しくは樹脂製などの細長い板状の一本のリンク材が用いられる。支持部材１２の一端側には大小の孔が連続した第１連続孔１２ａ，１２ｂが連続して形成されている。また、第１連続孔１２ａ，１２ｂと隣接して丸穴と長孔が連続した第２連続孔１２ｃ，１２ｄが他端側にわたって形成されている。第１連続孔１２ａ，第２連続孔１２ｃには、第１，第２軸部１４，１６の頭部１４ａ，１６ａは挿入できるが、第１連続孔１２ｂ，第２連続孔１２ｄには挿入できない大きさに形成されている。
【００２９】
図３において、支持部材１２は、例えば、前面枠５の背面側上部に設けられる収納部１７に収容されている。収納部１７には、係止突起１７ａと前枠ベース部１５に形成された第２軸部１６が設けられている。第２軸部１６に替えて専用の係止突起が設けられていてもよい。
【００３０】
支持部材１２は、不使用時には第１連続孔１２ａに第２軸部１６の頭部１６ａを挿入し、第２連続孔１２ｄに係止突起１７ａを挿入したまま、当該支持部材１２を図３のパチンコ機本体１１側から遠ざけるようにスライドさせる。これにより、第２軸部１６は第１連続孔１２ｂと嵌合して（周溝１６ｂに第１連続孔１２ｂの周辺の支持部材１２が嵌まり込んで）頭部１６ａが抜け止めされ、係止突起１７ａ，１７ｂに挟み込まれる形態で、支持部材１２が収納部１７に保持される。係止突起１７ａは断面Ｌ字状をしており、支持部材１２の後方及び下方への移動を規制し、係止突起１７ｂは断面Ｌ字状をしており、支持部材１２の前方及び上方への移動を規制している。尚、収納部１７は、前面枠５に限らずパチンコ機本体１１側に設けられていてもよい。
【００３１】
図２において、支持部材１２は、パチンコ機本体１１に対して所定位置（概ね９０度回転させた位置）まで開放された前面枠５を支持し、かつ前面枠５を上ヒンジ部４ａから開放して前方へ傾倒させたまま支持するために用いられる。
【００３２】
図３において、前面枠５の背面側上部に設けられた収納部１７に保持された支持部材１２を取り外す。具体的には、支持部材１２を後方側（パチンコ機本体１１に近づく方向）にスライドさせ、第２軸部１６に対応する孔を第１連続孔１２ｂから第１連続孔１２ａに移動させる。この状態で支持部材１２を前面枠５の背面側より離間させると、第２軸部１６の頭部１６ａは第１連続孔１２ａより抜け出し、係止突起１７ａが第２連続孔１２ｄより抜け出すことが可能となるので、収納部１７より取り外すことができる。
【００３３】
次いで、図４において支持部材１２の第２連続孔１２ｃに第２軸部１６の頭部１６ａを挿入し、支持部材１２を矢印方向にスライドさせると周溝１６ｂが第２連続孔１２ｄへ移動して（周溝１６ｂに第２連続孔１２ｄの周辺の支持部材１２が嵌まり込んで）、第２軸部１６が抜け止めされる。そして、第１連続孔１２ａを第１軸部１４と位置合わせして第１連続孔１２ａに第１軸部１４の頭部１４ａを挿入した後、支持部材１２を図４の矢印方向と逆方向にスライドさせると、図５に示すように周溝１４ｂが第１連続孔１２ｂへ移動して（周溝１４ｂに第１連続孔１２ｂの周辺の支部部材１２が嵌まり込んで）、第１軸部１４が抜け止めされる。尚、第２連続孔１２ｄは第２軸部１６の周溝１６ｂに嵌め込まれて抜け止めされたままの状態にある。
【００３４】
次に、パチンコ機本体１１より開放された前面枠５を傾倒させる作業について図６乃至図８を参照して説明する。
図５において、パチンコ機本体１１より前面枠５が所定位置まで開放され、支持部材１２が取り付けられた状態において、前面枠５と上ヒンジ部４ａの連結を解除する。具体的には、図６において、レバー５ｅ（図４参照）をコイルばね５ｂの付勢に抗して押し下げることにより、上嵌合ピン５ａを上ヒンジ部４ａの軸孔４ｃより外す。
【００３５】
次いで、図７に示すように、前面枠５を下ヒンジ部４ｂと嵌合する下嵌合ピン（図示せず）を中心に手前側へ回転させる。このとき、互いに平行関係にある前面枠５の第２軸部１６とパチンコ機本体１１の第１軸部１４とに各々連繋する支持部材１２が当該第１軸部１４を中心に平行関係を保ったまま当該第２軸部１６が第２連続孔１２ｄに沿って孔端部までスライドして係止し（図８参照）、前面枠５が下ヒンジ部４ｂを中心に所定量前方へ傾倒する。このように、前面枠５の下ヒンジ部４ｂを中心とする回転動作に伴って支持部材１２が第１軸部１４を中心に従動回転しつつ、第２軸部１６が第１軸部１４と平行関係を保ったまま第２連続孔１２ｄに沿って孔端部までスライドすることによりガイドされる。よって、前面枠５が下ヒンジ部４ｂを中心に前方へ安定した状態で所定量傾倒され、傾倒姿勢のまま保持される。
【００３６】
以上のように、パチンコ機本体１１より所定位置へ開放された前面枠５を支持部材に１２によって開閉方向の移動を規制しつつスムーズに傾倒させることができる。よって、前面枠５の開放状態を支持する支持部材１２の組み付けを簡素化し、部品点数を減らして簡易かつコンパクトな構成でパチンコ機本体１１より傾動させて回転軸近傍のメンテナンス作業（ヒンジ側の釘調整作業等）が行ない易くなる。
【００３７】
尚、傾倒した前面枠５をパチンコ機本体１１へ組み付ける場合には、前面枠５を下ヒンジ部４ｂ中心に押し上げて、上嵌合ピン５ａを上ヒンジ部４ａの軸孔４ｃに嵌合させる（図５参照）。次に、支持部材１２を一旦パチンコ機本体１１側に向けてスライドさせて、第１軸部１４を第１連続孔１２ｂから第１連続孔１２ａに位置するように移動させる。そして、頭部１４ａから第１連続孔１２ａを引き抜いて支持部材１２との連結を解除する。次いで、支持部材１２を前方へスライドさせて、第２軸部１６を第２連続孔１２ｄから第２連続孔１２ｃに位置するように移動させる。そして、頭部１６ａから第２連続孔１２ｃを引き抜いて支持部材１２との連結を解除する。
【００３８】
そして、パチンコ機本体１１と前面枠５から取り外された支持部材１２は、図３に示すように、第１連続孔１２ｂに第２軸部１６を、第２連続孔１２ｄに係止突起１７ａを各々挿入して収納部１７へ収納される（図２参照）。最後に、前面枠５を上下ヒンジ部４ａ，４ｂを中心に回転させてパチンコ機本体１１に重ね合わせるまで回転させて図示しないロック機構によって施錠されて組み付けられる（図１参照）。
【００３９】
次に、支持部材の収納部の他例について図９乃至図１１を参照して説明する。本実施形態では、支持部材１８がパチンコ機本体１１側（遊技盤６）に収納部１７が設けられている点が異なっている。また支持部材１８の一端側は、予めパチンコ機本体１１に設けられた軸部を中心に回転可能に連繋して収納されている点が異なっている。
【００４０】
図９において、支持部材１８は、遊技盤６の遊技盤レール６ａの外側であって内枠３の縦枠に沿って設けられた収納部１７に収納されている。支持部材１８の一端は、遊技盤６の盤面に設けられた本体ベース部１３に盤面と平行に突設された第１軸部１４を中心に回転可能に連繋している。尚、収納部１７は、前面枠５側であってもよい。また、本体ベース部１３及び第１軸部１４が設けられるのは、遊技盤６に限らず、他のパチンコ機本体１１側、例えば内枠３であっても、外枠２であってもよい。
【００４１】
図１０において、支持部材１８は、リンク本体１８ａにスライドリンク１８ｂが長手方向にスライド可能に連繋している。リンク本体１８ａの第１軸部１４近傍には舌片状の爪部１８ｃが隆起して形成されている。また、リンク本体１８ａの自由端側には門型のストッパー１８ｄが設けられている。
【００４２】
スライドリンク１８ｂはリンク本体１８ａに重ね合わせた状態でスライド可能に設けられている。スライドリンク１８ｂの第１の軸部１４に近い一端側にはＴ字状の係止部１８ｅが設けられている。図１１において、スライドリンク１８ｂが最も伸びた状態で係止部１８ｅがストッパー１８ｄと係止して抜け止めされるようになっている。
【００４３】
また、図１１において、スライドリンク１８ｂの係止部１８ｅの近傍から他端側にかけて丸穴と長孔が連続した連続孔１８ｆ，１８ｇが形成されている。連続孔１８ｆは丸穴であり第２軸部１６の頭部１６ａを挿入できるが、連続孔１８ｇは長孔であり頭部１６ａより小径の周溝１６ｂのみ挿入できるようになっている。
【００４４】
ここで、パチンコ機本体１１から開放された前面枠５の開放状態を支持する構造及び前面枠５を傾倒させる構造について説明する。
図９はパチンコ機本体１１より前面枠５を所定位置まで開放した状態を示す。このとき、収納部１７には支持部材１８が第１軸部１４を中心に盤面に沿って垂下した状態で収納されている。収納スペースを省くため、スライドリンク１８ｂはリンク本体１８ａと重ね合わせた状態に保持されている。具体的には、スライドリンク１８ｂの連続孔１８ｆに爪部１８ｃが係止して、スライドリンク１８ｂが下方にスライドするのを抑えている。
【００４５】
図１０において、収納部１７に収納された支持部材１８の自由端側を持って遊技盤６上に手前側に向けて起立させ、爪部１８ｃを押し下げるようにスライドリンク１８ｂを係止部１８ｅがストッパー１８ｄに突き当たるまで伸ばす。そして、連続孔１８ｆに第２軸部１６の頭部１６ａを挿入する。
【００４６】
次に図１１において、前面枠５と上ヒンジ部４ａの連結を解除する。具体的には、レバー５ｅをコイルばね５ｂ（図６参照）の付勢に抗して押し下げることにより、上嵌合ピン５ａを上ヒンジ部４ａの軸孔４ｃより外す。
【００４７】
次いで、前面枠５を下ヒンジ部４ｂと嵌合する下嵌合ピン（図示せず）を中心に手前側へ回転させる。このとき、連続孔１８ｆに挿入された第２軸部１６は長孔よりなる連続孔１８ｇへ周溝１６ｂが移動し、第２軸部１６がスライドリンク１８ｂより抜け止めされた状態で孔端部に突き当たるまで移動する。
このとき、互いに平行関係にある前面枠５の第２軸部１６とパチンコ機本体１１の第１軸部１４とに各々連繋する支持部材１８が当該第１軸部１４を中心に従動回転し、当該第２軸部１６が連続孔１８ｇに沿って孔端部までスライドして係止し、前面枠５が下ヒンジ部４ｂを中心に所定量前方へ傾倒した傾倒姿勢のまま支持部材１８によって支持される。
【００４８】
尚、傾倒した前面枠５をパチンコ機本体１１へ組み付ける場合には、前面枠５を下ヒンジ部４ｂ中心に押し上げて、上嵌合ピン５ａを上ヒンジ部４ａの軸孔４ｃに嵌合させる（図５参照）。次に、スライドリンク１８ｂの連続孔１８ｇから連続孔１８ｆへ移動した第２軸部１６からスライドリンク１８ｂとの連結を解除する（図１０参照）。次いで、スライドリンク１８ｂをリンク本体１８ａへ重ね合わせるように押し縮め、連続孔１８ｆが爪部１８ｃと係止させる。この状態で、支持部材１８を第１軸部１４を中心に回転させて遊技盤６上の収納部１７へ垂下させて収納する。このとき、収納部１７に設けられた図示しない保持部によって支持部材１８は収納位置に保持させる（図９参照）。
【００４９】
最後に、前面枠５を上下ヒンジ部４ａ，４ｂを中心に回転させてパチンコ機本体１１に重ね合わせるまで回転させて図示しないロック機構によって施錠されて組み付けられる（図１参照）。
【００５０】
以上のように、パチンコ機本体１１より前面枠５を開放して予め一端が軸支された支持部材１８の他端を前面枠５の軸部と連繋させた状態で、前面枠５を上ヒンジ部４ａから開放するだけで傾倒させることができる。よって、支持部材１８の取付け収納作業や前面枠５の傾倒作業を簡略化して行なうことができ、作業性も向上する。
【００５１】
尚、第１軸部１４と第２軸部１６はパチンコ機本体１１に対して前面枠５を開放した状態で互いに平行となるように設けられていれば、パチンコ機本体１１に対して直交する同一直交面上に配置されている必要はない。この場合、支持部材１２、１８は、直板形状以外の異形状、たとえばクランク形状等であってもよい。
【００５２】
上述した実施形態は、遊技機の一例としてパチンコ機について説明したが、他の遊技機、例えば雀球遊技機やアレンジボール遊技機などに適用してもよい。
【図面の簡単な説明】
【００５３】
【図１】パチンコ機の斜視図である。
【図２】図１のパチンコ機の前面枠を開放した状態の斜視図である。
【図３】前面枠の背面側上部の部分拡大図である。
【図４】支持部材を遊技機本体及び前面枠に組み付ける作業を示す斜視説明図である。
【図５】支持部材を組み付けた状態を示すパチンコ機の斜視図である。
【図６】前面枠と遊技機本体の上ヒンジ部の係合を外した状態の前面枠の背面側上部の部分拡大図である。
【図７】前面枠を遊技機本体より傾倒させた状態を示す斜視図である。
【図８】図７における前面枠の背面側上部の部分拡大図である。
【図９】他例に係る支持部材の収納状態の斜視説明図である。
【図１０】図９の支持部材を遊技機本体及び前面枠に組み付ける作業を示す部分斜視説明図である。
【図１１】図１０の前面枠を遊技機本体より傾倒させた状態を示す部分斜視図である。
【符号の説明】
【００５４】
１  パチンコ機
２  外枠
３  内枠
４ａ  上ヒンジ部
４ｂ  下ヒンジ部
４ｃ  軸孔
５  前面枠
５ａ  上嵌合ピン
５ｂ  コイルばね  
５ｃ  軸孔  
５ｄ  上板  
５ｅ  レバー  
６  遊技盤
６ａ  遊技盤レール
７  球発射装置
８  球受け皿
９  発射ハンドル
１０  貯留タンク
Ｍ  回転軸  
１１  パチンコ機本体  
１２，１８  支持部材  
１２ａ，１２ｂ  第１連続孔  
１２ｃ，１２ｄ  第２連続孔  
１３  本体ベース部  
１４  第１軸部  
１４ａ，１６ａ  頭部  
１４ｂ，１６ｂ  周溝  
１５  前枠ベース部  
１６  第２軸部  
１７  収納部  
１７ａ，１７ｂ  係止突起  
１８ａ  リンク本体  
１８ｂ  スライドリンク  
１８ｃ  爪部  
１８ｄ  ストッパー  
１８ｅ  係止部  
１８ｆ，１８ｇ  連続孔
【図１】
2010148603.tif 000003
【図２】
2010148603.tif 000004
【図３】
2010148603.tif 000005
【図４】
2010148603.tif 000006
【図５】
2010148603.tif 000007
【図６】
2010148603.tif 000008
【図７】
2010148603.tif 000009
【図８】
2010148603.tif 000010
【図９】
2010148603.tif 000011
【図１０】
2010148603.tif 000012
【図１１】
2010148603.tif 000013